(57)【要約】【課題】  吸引アダプタが被吸引物を確実に吸込み口腔内の粘膜や舌などを過度に吸着しない程度の適度な吸引力を維持できるように改良された医療用セントラルサクションシステムを提供する。【解決手段】  医療用セントラルサクションシステムには、サクション装置５と、一端側がこのサクション装置に接続されたサクション本管１と、このサクション本管１の他端側に接続された圧力調整用本管バルブ８と、前記サクション本管１に連結された分岐管２と、前記分岐管を開閉制御する分岐管バルブ２と、前記サクション本管１に設置されその本管内の圧力を検出する圧力センサ７と、前記圧力センサ７からの検出値に応じて前記本管バルブの開度を調整するバルブ制御装置１１が備えられる。【選択図】  図１
2006055428.tif 000002
【特許請求の範囲】
【請求項１】
サクション装置と、一端側がこのサクション装置に接続されたサクション本管と、このサクション本管の他端側に接続された圧力調整用本管バルブと、前記サクション本管に連結された分岐管と、前記分岐管を開閉制御する分岐管バルブと、前記サクション本管に設置されその本管内の圧力を検出する圧力センサと、前記圧力センサからの検出値に応じて前記本管バルブの開度を調整するバルブ制御装置とを備えていることを特徴とする医療用セントラルサクションシステム。
【請求項２】
サクション装置と、一端側がこのサクション装置に接続されたサクション本管と、このサクション本管の他端側に接続された圧力調整用本管バルブと、前記サクション本管に連結された複数の分岐管と、前記各分岐管にそれぞれ取付けられ開閉制御される複数の分岐管バルブと、前記複数の分岐管バルブの開閉を検出する開閉制御回路と、この開閉制御回路の開通検出に対応して前記本管バルブの開度を調整するバルブ制御装置とを備えていることを特徴とする医療用セントラルサクションシステム。
【請求項３】
サクションポンプ及びその駆動モータを有するサクション装置と、一端側がこのサクション装置に接続されたサクション本管と、このサクション本管の他端側に接続された本管バルブと、前記サクション本管に連結された分岐管と、前記分岐管を開閉制御する分岐管バルブと、前記サクション本管に設置されその本管内の圧力を検出する圧力センサと、前記圧力センサからの検出値に応じて前記駆動モータの回転速度を制御しサクション吸引度を調整するサクション制御装置とを備えていることを特徴とする医療用セントラルサクションシステム。
【請求項４】
サクションポンプ及びその駆動モータを有するサクション装置と、一端側がこのサクション装置に接続されたサクション本管と、このサクション本管の他端側に接続された本管バルブと、前記サクション本管に連結された複数の分岐管と、前記各分岐管にそれぞれ取付けられ開閉制御される複数の分岐管バルブと、前記複数の分岐管バルブの開閉を検出する開閉制御回路と、この開閉制御回路の開通検出に対応した吸引アダプタ使用数に応じて前記駆動モータの回転速度を制御しサクション吸引度を調整するサクション制御装置とを備えていることを特徴とする医療用セントラルサクションシステム。
【請求項５】
請求項１乃至４のいずれか一の請求項に記載の医療用セントラルサクションシステムにおいて、前記サクション本管に本管内の圧力を検出する圧力センサが設置され、その圧力センサは、前記本管バルブとこれに最も近い位置にある分岐管との間に配置されていることを特徴とする医療用セントラルサクションシステム。
【請求項６】
請求項１乃至５のいずれか一の請求項に記載の医療用セントラルサクションシステムにおいて、前記サクション本管に本管内の圧力を検出する圧力センサが設置され、その圧力センサの検出値が最大負圧になった時に作動するタイマーと、前記タイマー作動開始時に本管バルブの開度を全開に調整するバルブ制御装置と、前記タイマーのタイムアップ後に前記サクション装置を停止する停止制御装置とを備えていることを特徴とする医療用セントラルサクションシステム。
【発明の詳細な説明】
【技術分野】
【０００１】
本発明は特に歯科用に好適な医療用セントラルサクションシステムに関する。
【背景技術】
【０００２】
例えば歯科医療においては、歯科医療施設の一つであるサクション（吸引）システムに取付けられた吸引アダプタを用いて、歯科技工処理時に発生する切削粉塵、注水や唾液等の被吸引物を口腔内から吸引除去する処置が行われている。
【０００３】
そして、従来から１診療室当たり複数の患者を診療できるよう複数の診療台を設置し、その台数に応じた複数個の吸引アダプタを備え、これら全アダプタの同時稼動並びに同時吸引除去作業を行えるようにした中央集中方式としてのセントラルサクションシステムに関する技術がある（例えば特許文献１参照）。
【０００４】
この従来技術のシステムでは、診療室内に配管されサクション装置によって一端側から吸気される大径のサクション本管には、各診療台毎にそれぞれ対応配置される複数の小径分岐管が連結されており、各分岐管の開口端にはそれぞれフレキシブルな吸引ホースを介して複数の吸引アダプタが連結されている。これら各分岐管の開口端部には電磁弁がそれぞれ取付けられ、各分岐管の開閉を制御し、使用したい吸引アダプタに関連する分岐管を選択的に開通させることができるようになっている。
【特許文献１】特公平６−９８１５８号公報
【発明の開示】
【発明が解決しようとする課題】
【０００５】
この種のシステムにおいては、同一時間帯における吸引アダプタ使用数の変化によって外気の吸入量やサクション本管内の圧力が変化するために、個々の吸引アダプタの吸引力もまた変化し易い。
【０００６】
そこで、本発明は、吸引アダプタが被吸引物を確実に吸込み口腔内の粘膜や舌などを過度に吸着しない程度の適度な吸引力を常に維持できるように改良された医療用セントラルサクションシステムを提供することを目的とする。
【課題を解決するための手段】
【０００７】
請求項１に記載の発明の医療用セントラルサクションシステムは、サクション装置と、一端側がこのサクション装置に接続されたサクション本管と、このサクション本管の他端側に接続された圧力調整用本管バルブと、前記サクション本管に連結された分岐管と、前記分岐管を開閉制御する分岐管バルブと、前記サクション本管に設置されその本管内の圧力を検出する圧力センサと、前記圧力センサからの検出値に応じて前記本管バルブの開度を調整するバルブ制御装置とを備えていることを特徴とするものである。
【０００８】
請求項２に記載の発明の医療用セントラルサクションシステムは、サクション装置と、一端側がこのサクション装置に接続されたサクション本管と、このサクション本管の他端側に接続された圧力調整用本管バルブと、前記サクション本管に連結された複数の分岐管と、前記各分岐管にそれぞれ取付けられ開閉制御される複数の分岐管バルブと、前記複数の分岐管バルブの開閉を検出する開閉制御回路と、この開閉制御回路の開通検出に対応して前記本管バルブの開度を調整するバルブ制御装置とを備えていることを特徴とするものである。
【０００９】
請求項３に記載の発明の医療用セントラルサクションシステムは、サクションポンプ及びその駆動モータを有するサクション装置と、一端側がこのサクション装置に接続されたサクション本管と、このサクション本管の他端側に接続された本管バルブと、前記サクション本管に連結された分岐管と、前記分岐管を開閉制御する分岐管バルブと、前記サクション本管に設置されその本管内の圧力を検出する圧力センサと、前記圧力センサからの検出値に応じて前記駆動モータの回転速度を制御しサクション吸引度を調整するサクション制御装置とを備えていることを特徴とするものである。
【００１０】
請求項４に記載の発明の医療用セントラルサクションシステムは、サクションポンプ及びその駆動モータを有するサクション装置と、一端側がこのサクション装置に接続されたサクション本管と、このサクション本管の他端側に接続された本管バルブと、前記サクション本管に連結された複数の分岐管と、前記各分岐管にそれぞれ取付けられ開閉制御される複数の分岐管バルブと、前記複数の分岐管バルブの開閉を検出する開閉制御回路と、この開閉制御回路の開通検出に対応した吸引アダプタ使用数に応じて前記駆動モータの回転速度を制御しサクション吸引度を調整するサクション制御装置とを備えていることを特徴とするものである。
【００１１】
請求項５に記載の発明は、請求項１乃至４のいずれか一の請求項に記載の医療用セントラルサクションシステムにおいて、前記サクション本管に本管内の圧力を検出する圧力センサが設置され、その圧力センサは、前記本管バルブとこれに最も近い位置にある分岐管との間に配置されていることを特徴とするものである。
【００１２】
請求項６に記載の発明は、請求項１乃至５のいずれか一の請求項に記載の医療用セントラルサクションシステムにおいて、前記サクション本管に本管内の圧力を検出する圧力センサが設置され、その圧力センサの検出値が最大負圧になった時に作動するタイマーと、前記タイマー作動開始時に本管バルブの開度を全開に調整するバルブ制御装置と、前記タイマーのタイムアップ後に前記サクション装置を停止する停止制御装置とを備えていることを特徴とするものである。
【発明の効果】
【００１３】
本発明の医療用セントラルサクションシステムによれば、吸引アダプタ使用中、サクション本管内圧力を常に所望の一定値に調整維持できるために、吸引アダプタは、被吸引物を確実に吸込み口腔内の粘膜や舌などを過度に吸着しない程度の適度な吸引力を安定して維持できるという効果を奏する。
【発明を実施するための最良の形態】
【００１４】
図１は本発明を歯科用セントラルサクションシステムに実施した第１の実施形態を示すものであり、サクション本管１は複数の歯科診療台（図示せず）の設置配列に沿って配管されており、複数（例えば４個）の分岐管２がこれらの診療台にそれぞれ対応する位置において前記サクション本管１に連結されている。
【００１５】
これら分岐管２には、これらを個々に開閉制御する複数の分岐管バルブ３が取付けられており、これらバルブ３は手動の開閉コックであってもよい。また、前記分岐管バルブ３は開閉制御に便利な電磁バルブを用いて、診療台対応用の電気配線４を利用して電気的に制御できるようにしてもよい。
【００１６】
前記各分岐管２の開口端には、図示を省略するが、それぞれフレキシブルな吸引ホースの各一端が連結され、これらホースの各他端（操作自在な先端）には、対人口腔内の被吸引物排除用の吸引アダプタが連結されている。
【００１７】
前記サクション本管１の配管元側にはサクション装置５が設置されており、この装置５は、そのケース外観が図示されているが、その装置のケース内にサクションポンプやこのポンプを駆動する駆動モータなどを備えている。また、この装置５は被吸引物中の気体成分と液体成分を分離するための気液分離装置６を間に介在させて前記サクション本管１の一端側に接続されている。
【００１８】
ここで、前記サクション装置５によってサクション本管１内の空気を負圧吸引し、これと連通する前記吸引アダプタにより口腔内吸引操作を行うと、このアダプタの使用数に応じて外気の吸入量が変化し本管１内の圧力も変化することになる。
【００１９】
そこで、この実施形態においては、このような本管１内圧力変化に対処するために、前記サクション本管１の他端側に圧力センサ７及び圧力調整用の本管バルブ８を設け、この本管バルブ８の開度を制御することによって、前記本管１内の圧力をほぼ一定に保持できるようになされている。
【００２０】
前記本管１の他端側に連結された本管バルブ８は開度を比例的或いは直線的に調整可能な例えば電磁バルブで構成されている。また、前記圧力センサ７はこの本管１内の圧力を検出するもので、本管バルブ８とこれに最も近い分岐管２との間に取付けられており、前記電気配線４中の一回線を通じてセンサ７の圧力検出値が後述の制御装置に入力され、この圧力検出値に応じて本管バルブ８の開度が電気的に制御されるようになっている。
【００２１】
前記圧力センサ７の取付け位置については、サクション装置５に近いサクション本管１の一端側より遠い位置の他端側に行くほどその負圧値が小さくなり前記吸引アダプタの使用数に応じてその圧力変化を受け易くなるので、圧力変化に対する補完精度を上げるためには、サクション本管１の前記他端側で本管バルブ８に近い位置にした方がよい。
【００２２】
このシステムは、サクション装置５によりサクション本管１内の空気等の気体はこの装置５の外に吸引排気（ブロウ）されるようになっており、サクション本管１内圧力は１気圧未満の負の圧力（負圧）の基で操作並びに制御される。そして、吸引アダプタ内空間はサクション本管１内の負圧により吸引されているため、吸引アダプタの開口端の吸引力は、サクション本管１内の負圧値が負（−）方向に増大するに従ってほぼ比例関係で増大し、逆にその負圧値が減少方向（１気圧へ向かう）へ向かうに従って同様に減少する。
【００２３】
そのために、サクション本管１内の適正圧力としての基準値Ｖｒ（負圧値）が設定されると、これにほぼ比例して吸引アダプタの吸引力が所望値に設定される。そしてシステム作動中、前記吸引アダプタを所望の吸引力に維持するためには、前記サクション本管１内の実際の負圧値が、吸引アダプタ使用数に拘わらず常に前記基準値Ｖｒ（負圧値）に維持されることが望まれる。
【００２４】
次に前記本管バルブ８の開度を制御するための電気制御システムについて説明する。このシステムにはシステム制御装置１０が備えられ、この制御装置１０は前記サクション装置５や気液分離装置６の稼動制御や前記各分岐管バルブ３の開閉制御などを司ると共に、圧力センサ７の圧力検出値に応じて本管バルブ８の開度を調整制御するバルブ制御装置などを備えている。
【００２５】
また、前記システム制御装置１０は、ここではサクション装置５のケースの外部に配置され、この装置５内の電気配線系統を経由して前記診療台対応用の電気配線４や気液分離装置６などの電気系統に接続されている。勿論、このシステム制御装置１０はサクション装置５のケースに装着しても良いし、前記電気配線４や気液分離装置６に直接接続してもよい。
【００２６】
図２のブロック図では前記システム制御装置１０に組み込まれたバルブ制御装置１１の実施形態の一例が示されている。このバルブ制御装置１１は、前記圧力センサ７の検出圧力を電気信号検出値Ｖとして出力する圧力センサ回路１１ａ、サクション本管１内の適正圧力に対応した基準値Ｖｒが設定されこの基準値Ｖｒと前記検出値Ｖとを比較しその差ΔＶを出力する設定・比較回路１１ｂ、この差ΔＶに応じて本管バルブ８に開度制御信号Ｏｐを供給するバルブ制御回路１１ｃを備えている。なお、前記センサ回路１１ａはバルブ制御装置１１の一部構成として図示されているが、圧力センサ７の構成として表示してもよい。
【００２７】
ところで、前記圧力センサ７及び本管バルブ８はいずれもその製品としての電気量と物理量の変換特性が明らかになっているので、吸引アダプタの所望の吸引力に適応したサクション本管１内の適正圧力値を特定すれば、この適正圧力値が前記比較回路１１ｂの基準値Ｖｒとして一義的に設定され、本管バルブ８も前記差ΔＶに応じて開度が自動的に調整されことになる。
【００２８】
そこで、システム動作の初期設定の一例を示すと、まず、前記各分岐管バルブ３（例えば４個）を全て閉鎖し、本管バルブ８を仮に例えば中間値程度の開度（ほぼ半開）にした状態で、通常の動作領域でサクション装置５を稼動させ、サクション本管１内を負圧吸気する。
【００２９】
この状態で前記圧力センサ７により前記サクション本管１内圧力（負圧値）をセンスすると、圧力センサ回路１１ａから出力される圧力検出値Ｖが設定・比較回路１１ｂにより前記基準値Ｖｒ（負圧値）と比較され、この比較回路１１ｂから出力された差ΔＶに対応して、バルブ制御回路１１ｃは前記本管バルブ８の開度を制御する。
【００３０】
このバルブ制御装置１１は例えば前記差ΔＶが例えば零になるまでその制御が継続され、前記サクション本管１内の圧力検出値Ｖが適正圧力としての前記基準値Ｖｒに達するまで前記本管バルブ８の開度が制御／調整される。このようにして、前記本管バルブ８の実動作上の初期開度としての基準開度Ｏｒが設定される（この基準開度Ｏｒは前記仮の中間値程度の開度とは必ずしも一致しない）。
【００３１】
次に、前記初期設定後、吸引アダプタの使用状態でのシステム動作について説明する。前記複数の分岐管バルブ３中、１個のバルブを開通すると、１つの吸引アダプタから外気を吸入することになり、その瞬間、その分だけ本管１内圧力は前記基準値Ｖｒよりも負圧が減少する。
【００３２】
この変化量（負圧減少分）は前記設定比較回路１１ｂから差ΔＶとして出力され、この変化量（負圧減少分）ΔＶを補完するまで前記バルブ制御回路１１ｃによって本管バルブ８の開度が基準開度Ｏｒよりも小さく絞られ、本管１内圧力は適正圧力としての基準値Ｖｒに調整される。この絞りによる本管バルブ８の開度調整分をΔＯと表しておく。
【００３３】
更に、前記分岐管バルブ３の２個目を開通すると、２個目の吸引アダプタから更に外気を吸入することになり、本管１内圧力は更に負圧減少分ΔＶの負圧減少を生じることになり、この減少分を補完するために本管バルブ８の開度もまた前記開度調整分ΔＯ絞り込むことになる。
【００３４】
分岐バルブ３の開通がこのように順次行われる場合は、その度に負圧減少分ΔＶの補完となるが、一度に複数の分岐バルブ３を開通し複数の吸引アダプタを使用する場合は、その際の前記負圧減少分ΔＶとアダプタ使用数との積からなる負圧減少量を一度に補完制御するように、本管バルブ８の開度もまた前記開度調整分ΔＯとアダプタ使用数との積に相当する分だけ絞り込むことになる。
【００３５】
このようにして、吸引アダプタが３個目、４個目と追加使用される場合においても、分岐管２及び吸引アダプタの使用数に応じた負圧減少分の変化量を補完するように本管バルブ８の開度を調整することによって本管１内圧力を適正圧力としての基準値Ｖｒに常に維持することができる。この基準値Ｖｒ維持の結果、吸引アダプタは、その使用数に拘わらず被吸引物を確実に吸込み口腔内の粘膜や舌などを過度に吸着しない程度の適度な吸引力に安定して維持される。
【００３６】
なお、前述のように吸引アダプタの使用数が増加する場合は本管バルブ８の開度を絞ることになるが、逆に吸引アダプタの使用数が減少する場合は本管１内圧力の負圧増加分ΔＶ（負値）に対応して本管バルブ８の開度を大きく開くように調整することになる。
【００３７】
前記説明においては、分岐管バルブ３の開閉による本管１内の圧力を圧力センサ７により検出し、本管１内の圧力が常にほぼ一定になるように、本管バルブ８の開度を制御する場合について説明した。
【００３８】
しかし、前記説明から理解されるように、システム作動中の吸引アダプタの使用数Ｎが増加するに従ってサクション本管１内の負圧が減少、逆にその使用数Ｎが減少するに従ってその負圧が増加するので、その吸引アダプタの使用数Ｎに応じて本管バルブ８の開度を調整することによって、サクション本管１内圧力を適正圧力に常に維持できるようにすることができる。
【００３９】
従って、前記吸引アダプタの使用数に対応して本管バルブ８の開度を制御することにより本管１内の圧力をほぼ一定に制御できる。
【００４０】
そこで、このような本管１内圧力制御に好適な第２の実施形態について説明すると、その電気制御系の構成として、図２に示されたバルブ制御装置１１に、前記第１実施形態において示された回路構成ブロックとは別に、開閉制御回路１１ｄ及び記憶回路１１ｅが設けられる。
【００４１】
前記開閉制御回路１１ｄは、前記電気配線４を通じて各分岐管２の各分岐管バルブ３の電磁バルブに接続されていて、操作者による吸引アダプタの使用選択に従って分岐管バルブ開閉指令Ｓ（電気的オン／オフ信号）を受け、各分岐管バルブ３の開通／閉鎖を電気的に制御する機能を有している。また、前記開閉制御回路１１ｄは、前記分岐管バルブ３を開通させた電気信号に基づき吸引アダプタの使用数を検出すると共に、その使用数Ｎ信号を記憶装置１１ｅに供給する。この記憶装置１１ｅの出力は、ここでは例えば、前記バルブ制御回路１１ｃの入力端に接続されている。
【００４２】
前記記憶回路１１ｅは、吸引アダプタの使用数Ｎ、この使用数Ｎに応じたサクション本管１内圧力の変化量ΔＶ及びこの変化量ΔＶに応じた本管バルブ８の開度調整分ΔＯの相関データテーブルを備えている。この相関データテーブルは、試験や実験などによって予め作成されたものである。
【００４３】
なお、前記相関テーブルの作成としては、例えば前述のような構成において、例えば全ての分岐管バルブ３を一旦閉鎖しておいて圧力センサ７によりサクション本管１内圧力を測定した後、分岐管バルブ３の開通数（吸引アダプタの使用数Ｎ）を順次増す毎に圧力センサ７によりサクション本管１内圧力を測定することによって行うことができる。
【００４４】
その際、サクション本管１内圧力の変化量ΔＶは前記使用数Ｎ毎のサクション本管１内圧力測定値の差で求められ、その使用数ＮとΔＶとの相関テーブルが記憶装置１１ｅにデータ蓄積される。この測定においては、サクション本管１内圧力が負圧減少で推移するため、前記変化量ΔＶは負圧減少分として表れる。
【００４５】
そして、本管バルブ８の開度調整分ΔＯについては、本管バルブ８の製品としての変換特性により前記変化量（負圧減少分）ΔＶと開度調整分ΔＯとの相関データとして前記相関テーブルに蓄積される。勿論、任意に設定したサクション本管１内圧力値に対する前記変化量ΔＶを補完するように本管バルブ８の開度を調整し、その開度を測定することによって、変化量ΔＶと開度調整分ΔＯとの相関データを求めてもよい。
【００４６】
このようにすると、システムの動作における流体に対する配管抵抗、分岐管の数量や分岐管同士の間隔など様々な条件の違いがあっても、これらの条件を取込んだ実測結果としての前記相関データが得られているために、これら相関関係の信頼性が高い。
【００４７】
また、前記記憶回路１１ｅの相関データテーブルが構成されると、同一仕様或いは規格のシステムにおいては、圧力センサ７及びその関連構成を省略することが可能である。
【００４８】
そこで、吸引アダプタの使用数Ｎが前記記憶回路１１ｅに入力されると、その使用数Ｎに応じて、前記相関データテーブル中の前記変化量ΔＶが選択出力され、この出力を受けて前記バルブ制御回路１１ｃが本管バルブ８の開度を調整するように自動的に作動する。
【００４９】
また、前記記憶回路１１ｅは、その回路構成としてバルブ制御回路が内蔵されていてもよく、その場合は、前記相関データテーブル中の使用数Ｎと開度調整分ΔＯとの関係から選択された開度調整分ΔＯ信号を、前記バルブ制御回路１１ｃを介さず、本管バルブ８に直接供給して開度調整することができる。
【００５０】
なお、前記記憶回路１１ｅに蓄積する前記相関データは、前記第１実施形態におけるシステム作動中に、前記使用数Ｎ及変化量（負圧減少分）ΔＶを実測することにより得ることもできる。
【００５１】
このような第２実施形態のシステムによれば、前記相関データを利用することによって、吸引アダプタの使用数Ｎ（分岐管バルブの開通数）を基に、これに応じた本管バルブ８の開度調整分ΔＯの制御が自動的に行われ、サクション本管１内の圧力が適正圧力に精度良く制御される。
【００５２】
次に本発明の第３の実施形態に係る歯科用セントラルサクションシステムについて説明する。この第３実施形態のシステムでは、サクション本管１内圧力調整が前記第１実施形態における本管バルブ８の開度調整に代わって、サクション装置５の負圧吸引制御によって行われ、前記サクション装置５は、その吸引度がサクション本管１内の負圧が増加し過ぎる場合に減少し、逆にその負圧が減少し過ぎる場合に増加するように制御される。
【００５３】
このサクション装置５の制御手段に関しては、図２に示すように前記システム制御装置１０にサクション制御装置１２を追加し、このサクション制御装置１２がサクション装置５のサクションポンプ５ａやポンプ駆動モータ５ｂの動作を制御するようになされている。
【００５４】
前記サクション制御装置１２は、例えば演算回路１２ａ及びインバータ回路１２ｂを備えて構成されている。この演算回路１２ａは、前記サクションポンプ５ａ及び駆動モータ
５ｂの製品としての電気量と物理量との相関特性に基づいて、ポンプ５ａの負圧変化量とモータ５ｂの回転数との関係式に関して演算するものであり、前記サクション本管１内の圧力の増減変化に応じてモータ５ｂの回転数を制御する信号を出力する。
【００５５】
この演算回路１２ａは、圧力センサ回路１１ａからの圧力検出値Ｖまたは設定・比較回路１１ｂからの前記変化量（負圧減少分）ΔＶを入力信号として使用することができる。ここでは、前記設定・比較回路１１ｂからの前記変化量（負圧減少分）ΔＶに係る信号が入力されていて、この変化量ΔＶを補完するに必要なポンプ５ａの負圧増加量に対応したモータ５ｂの回転数調整信号ΔＲを出力する。
【００５６】
前記インバータ回路１２ｂは演算回路１２ａからの回転数調整信号ΔＲに基づいてモータ５ｂの回転数を増加又は減少制御し、ポンプ５ａはこの回転数増加又は減少により前記変化量ΔＶを補完するようにその吸引度が制御され、サクション本管１内の適正圧力としての基準値Ｖｒが常に一定に維持される。
【００５７】
なお、サクション本管１内の適正圧力としての基準値Ｖｒ、前記システム動作の初期設定における本管バルブ８の基準開度Ｏｒの設定、吸引アダプタ使用単位数当たりの本管１内変化量（負圧減少分）ΔＶの関係については前記第１実施形態と同様である。
【００５８】
また、前記回転数調整信号ΔＲは、本管１内変化量が負圧増加状態になった場合には、駆動モータ５ｂの回転数を減少させるような信号としてインバータ回路１２ｂに入力される。
【００５９】
前記本管バルブ８は圧力調整可能な電磁バルブが用いられているが、この第３実施形態では、初期設定において、吸引アダプタの全数が閉鎖状態で、サクション本管１内の適正圧力としての基準値Ｖｒが検出されさえすればよく、その後の本管バルブ８による圧力調整の必要がないので、本管バルブ８は手動で開閉可能なバルブであってもよい。
【００６０】
このような第３実施形態においても、前記第１実施形態同様に本管１内圧力を適正圧力としての基準値Ｖｒに常に維持することができ、吸引アダプタは、その使用数に拘わらず常に被吸引物を確実に吸込み口腔内の粘膜や舌などを過度に吸着しない程度の適度な吸引力に維持される。
【００６１】
また、本管１内の負圧変化量とその補完に関しては、この第３実施形態においても吸引アダプタの使用数に関連しており、負圧変化分ΔＶのほぼ吸引アダプタ使用数倍の本管１内の負圧変化量を補完するように前記駆動モータ５ｂの回転数を増加または減少させサクションポンプ５ａの負圧吸引度（真空度）を増加または減少するよう調整することができる。
【００６２】
この調整手段としては、試験や実験などによって、吸引アダプタの使用数Ｎとサクション本管１内圧力の変化量ΔＶと前記回転数調整信号ΔＲとの相関データテーブルを予め用意し、この相関データテーブルに従って、前記駆動モータ５ｂの回転数及びサクションポンプ５ａの負圧吸引度（真空度）を調整する。
【００６３】
この使用数Ｎ−変化量ΔＶ−回転数調整信号ΔＲの相関データテーブルは、システム制御装置１０に記憶装置を設け、この記憶装置にデータ蓄積することになる。この相関データテーブル用の記憶装置として、例えば前記記憶回路１１ｅを利用し、この回転数調整信号ΔＲに関連した相関データテーブルを追加蓄積してもよい。この場合は、前記記憶回路１１ｅからの吸引アダプタの使用数Ｎに応じた回転数調整信号ΔＲの出力信号を、演算回路１２ａを経由することなく直接インバータ回路１２ｂに入力して前記駆動モータ５ｂの回転数を制御し、サクションポンプ５ａの吸引度を調整できる。
【００６４】
また、前記記憶回路１１ｅの利用に代えて、例えば前記演算回路１２ａ内に、前記回転数調整信号ΔＲに関する相関データテーブルを蓄積した記憶回路を設けることによって前記記憶装置を構成しても良い。この場合は、前記第２実施形態において示された開閉制御回路１１ｄからの吸引アダプタ使用数Ｎ信号を受けて前記演算回路１２ａ中の記憶回路の前記相関データに基づいて、吸引アダプタ使用数Ｎに対応して選択された回転数調整信号ΔＲの値に従いモータ５ｂの回転数を制御することができる。
【００６５】
次に、サクション本管１内清掃の一例について説明すると、この清掃は、前記圧力センサ７の検出値が最大負圧になるとき即ち全ての吸引アダプタ使用が停止されてサクション本管１内の吸引効率が最大になるときに、本管バルブの開度を全開にしてサクション装置５によってサクション本管１内の滞留物或いは残留付着物などを吸引排出することによって行われる。
【００６６】
この清掃の期間は、任意に選定できるが、ここでは、サクション装置５の電源をタイマー操作できるようにし、全ての吸引アダプタ使用を停止して前記圧力センサ７の検出値が最大負圧になったとき、又は全ての吸引アダプタが閉鎖されていることを検出したときからサクション装置５が電源停止するまでの期間に設定する。
【００６７】
そこで、この清掃を自動的に実行するための手段について図２を参照して説明する。この手段は、前記システム制御装置１０に更に検出回路１３及びタイマー１４を設けて構成され、この検出回路１３は前記圧力センサ７からの圧力検出値Ｖが前記最大負圧に対応する基準値Ｖｍａｘになったとき、又は全ての吸引アダプタが閉鎖されていることを検出したときにタイマー１４の作動を開始させるようになっている。
【００６８】
前記タイマー１４はその作動開始とほぼ同時に本管バルブ８を全開させる信号ＦＯが前記バルブ制御装置１１中のバルブ制御回路１１ｃに入力される。このバルブ制御回路１１ｃは前記全開信号ＦＯに応答して全開機能を果たすために、全開制御部を備えることになる。
【００６９】
この本管バルブ８が全開すると、大量の空気が本管１内に急激に流入するので、本管１内の滞留物が流されることとなりサクション本管１内の吸引清掃が行われる。
【００７０】
そして、前記タイマー１４はタイマー設定時間（例えば３０秒程度）のタイムアップ後にサクション装置５を停止する停止制御装置を備え、その停止信号に基づき電源スイッチ１５をオフにしてサクション装置５を作動停止させる。前記タイムアップに伴いサクション装置５が停止すると、前記サクション本管１内清掃は自動的に終了することになり、前記タイマー設定時間の間、自動的にサクション本管の清掃が行われサクション装置５が停止されると共に、本管バルブ８は初期の開度状態に復帰される。
【００７１】
前記清掃中に、サクション本管１内の残留付着物などの吸引排出をより強化するためには、サクション装置５をパワーアップしてもよく、その場合は、前記第３実施形態において説明したインバータ回路１２ｂを利用して、駆動モータ５ｂの回転数を増加制御するとよい。
【００７２】
また、前記清掃のタイミングは、前記圧力センサ７の検出値が最大負圧になるとき即ち全ての吸引アダプタ使用が停止されたときを利用するので、前記検出回路１３の代わりに前記第２実施形態において示された開閉制御回路１１ｄを前記タイマー１４に連繋させることも出来る。この場合は、全ての分岐管バルブ３を閉鎖する際の開閉指令Ｓに相当する信号を開閉制御回路１１ｄから前記タイマー１４に入力することによって前記タイマー操作が可能となる。
【００７３】
このようにタイマーと連動させることによって、サクション本管１内圧力が最大負圧になった時に本管バルブ８が全開にされ前記残留付着物が効率よく吸引排出され、その後に前記サクション装置５が自動的に停止される。従って、サクション本管１内が清浄に保たれるために残留付着物によるサクション本管の実効管径の低減及び吸引アダプタ機能低下などが避けられ、次の吸引作業がシステム本来の吸引効率を保って円滑に行われる。更に、残留汚物による腐敗臭や不衛生の発生を避けることができる。
【００７４】
なお、図２に示されたシステム制御装置１０は、前記第１乃至第３実施形態において記述した各実施形態にそれぞれ使用される機能ブロック全体を網羅的に組み込んで構成されている。このようなシステム制御装置の構成によれば、前記各実施形態の機能を適宜選択してセントラルサクションシステムを制御でき、一実施形態による制御機能が低下或いは不本意に停止した場合、他の実施形態により切換え制御が可能であり、そのシステムが長期にわたり安定して使用できる。勿論、この選択操作のためには、図示を省略するが、例えば設定比較回路１１ｂ、バルブ制御回路１１ｃ及びインバータ回路１２ｂにそれぞれオンオフ切換え機能を備えておくとよい。また、システム制御装置１０を製品として構成する場合、例えばユーザーによる操作簡素化やコスト要求などに応じて前記第１乃至第３実施形態毎にそれぞれの機能ブロック単位で個別に構成してもよい。
【００７５】
前記各実施形態のシステムは、歯科用のシステムについて説明したが、他の医療手術などで行われる被吸引物の吸引排除環境が歯科治療と同様な環境にある場合は、同様に医療用として広く適用することも可能である。
【図面の簡単な説明】
【００７６】
【図１】本発明の一実施形態に係る医療用セントラルサクションシステムを示す斜視図である。
【図２】本発明の一実施形態に係る医療用セントラルサクションシステムにおけるシステム制御装置のブロック図である。
【符号の説明】
【００７７】
１    サクション本管
２    分岐管
３    分岐管バルブ
４    電気配線
５    サクション装置
５ａ    サクションポンプ
５ｂ    駆動モータ
７    圧力センサ
８    本管バルブ
１０    システム制御装置
１１    バルブ制御装置
１１ａ    圧力センサ回路
１１ｂ    設定・比較回路
１１ｃ    バルブ制御回路
１１ｄ    開閉制御回路
１１ｅ    記憶回路
１２    サクション制御装置
１４    タイマー
【図１】
2006055428.tif 000003
【図２】
2006055428.tif 000004